(57)【要約】【課題】ＦＰＣと筐体とを固定する際の接着剤が他の部材に付着することを防止した、電子機器を提供する。【解決手段】電子機器１０は、筐体１１０と、筐体１１０の一面に取り付けられたディスプレイパネル１２０と、ディスプレイパネル１２０と筐体１１０の一面の間に位置している素子１３０と、素子１３０が搭載されており、ディスプレイパネル１２０と筐体１１０の一面の間に位置しているフレキシブル基板１４０と、フレキシブル基板１４０と筐体１１０の一面の間に設けられ、開口１５２を有するシート部材１５０と、フレキシブル基板１４０のうち素子１３０が搭載されている面とは逆側の面を、開口１５２を介して筐体１１０の一面に固定する接着層１６０と、を備える。【選択図】図１
2014194491.tif 000002
【特許請求の範囲】
【請求項１】
筐体と、
前記筐体の一面に取り付けられたディスプレイパネルと、
前記ディスプレイパネルと前記筐体の前記一面の間に位置している素子と、
前記素子が搭載されており、前記ディスプレイパネルと前記筐体の前記一面の間に位置しているフレキシブル基板と、
前記フレキシブル基板と前記筐体の前記一面の間に設けられ、開口を有するシート部材と、
前記フレキシブル基板のうち前記素子が搭載されている面とは逆側の面を、前記開口を介して前記筐体の前記一面に固定する接着層と、
を備える電子機器。
【請求項２】
筐体と、
前記筐体の一面に取り付けられたディスプレイパネルと、
前記ディスプレイパネルと前記筐体の前記一面の間に位置している素子と、
前記素子が搭載されており、前記ディスプレイパネルと前記筐体の前記一面の間に位置しているフレキシブル基板と、
前記筐体の前記一面に設けられる凹部と、
前記フレキシブル基板のうち前記素子が搭載されている面とは逆側の面を、前記凹部を介して前記筐体の前記一面に固定する接着層と、
を備える電子機器。
【請求項３】
請求項１に記載の電子機器において、
前記シート部材はグラファイトシートである電子機器。
【請求項４】
請求項１乃至３のいずれか１項に記載の電子機器において、
前記素子は、前記ディスプレイパネルを制御する制御素子である電子機器。
【発明の詳細な説明】
【技術分野】
【０００１】
本発明は、ＦＰＣ（Flexible Printed Circuit：フレキシブルプリント基板）に接続される素子を有する電子機器に関する。
【背景技術】
【０００２】
近年、携帯端末の薄型化、小型化、及び軽量化が進み、落下衝撃による携帯端末の剛性や強度の確保が難しくなっている。そして、このような携帯端末に実装される表示デバイス用ドライバー等の素子は破壊強度が弱く、落下等により携帯端末に衝撃が加わった場合、その衝撃に耐えられずに破損する可能性がでてくる。ドライバー等の素子の破損が発生する可能性を低くするためには、例えば、ドライバーの周囲にクッションやスペーサ部品を挟む等の対策が必要となる。しかしながら、寸法のばらつきを吸収するために、ＦＰＣに搭載される表示デバイス用ドライバーの頂面と相対部品との間にはクリアランスを設ける必要がある。そのため、落下の衝撃によってＦＰＣがクリアランス範囲で動き、ドライバー等の素子が破損する可能性が残る。
【０００３】
上述したような問題を解決する技術の一例として、特許文献１に記載される手法がある。特許文献１に記載される手法では、ドライバーが搭載されたＦＰＣを接着テープを用いて筐体（金属フレーム）に固定することにより、素子の剛性を、当該筐体と同等程度に高める構成が開示されている。
【先行技術文献】
【特許文献】
【０００４】
【特許文献１】特開２００７−１７９０７４号公報
【発明の概要】
【発明が解決しようとする課題】
【０００５】
しかしながら、特許文献１に記載されるように、接着テープを介して筐体とＦＰＣとを固定する場合、ＦＰＣが剥がれないように筐体にしっかりと押し付ける必要がある。そして、筐体とＦＰＣとを接着する際の圧力によって、ＦＰＣに搭載されるドライバーが破損する恐れがある。接着テープを用いる代わりに、接着剤を用いれば、接着テープで接着する場合よりも小さな圧力で筐体とＦＰＣとを接着できるが、接着剤が広がって他の部材に付着し、当該ＦＰＣが実装される電子機器の不具合の要因となり得る。
【０００６】
本発明は上記問題に鑑みてなされたものであり、その目的は、ＦＰＣと筐体とを固定する際の接着剤が他の部材に付着することを防止した、電子機器を提供することにある。
【課題を解決するための手段】
【０００７】
本発明によれば、
筐体と、
前記筐体の一面に取り付けられたディスプレイパネルと、
前記ディスプレイパネルと前記筐体の前記一面の間に位置している素子と、
前記素子が搭載されており、前記ディスプレイパネルと前記筐体の前記一面の間に位置しているフレキシブル基板と、
前記フレキシブル基板と前記筐体の前記一面の間に設けられ、開口を有するシート部材と、
前記フレキシブル基板のうち前記素子が搭載されている面とは逆側の面を、前記開口を介して前記筐体の前記一面に固定する接着層と、
を備える電子機器が提供される。
【０００８】
本発明によれば、
筐体と、
前記筐体の一面に取り付けられたディスプレイパネルと、
前記ディスプレイパネルと前記筐体の前記一面の間に位置している素子と、
前記素子が搭載されており、前記ディスプレイパネルと前記筐体の前記一面の間に位置しているフレキシブル基板と、
前記筐体の前記一面に設けられる凹部と、
前記フレキシブル基板のうち前記素子が搭載されている面とは逆側の面を、前記凹部を介して前記筐体の前記一面に固定する接着層と、
を備える電子機器が提供される。
【発明の効果】
【０００９】
本発明によれば、ＦＰＣと筐体とを固定する際の接着剤が他の部材に付着することを防止することができる。
【図面の簡単な説明】
【００１０】
【図１】第１実施形態における電子機器の構成を示す図である。
【図２】ＦＰＣとメイン基板との接続方法について説明するための図である。
【図３】第１実施形態におけるＦＰＣの配置場所を説明するための図である。
【図４】第１実施形態の変形例における電子機器の構成を説明するための図である。
【発明を実施するための形態】
【００１１】
以下、本発明の実施形態について、図面を用いて説明する。尚、すべての図面において、同様な構成要素には同様の符号を付し、適宜説明を省略する。
【００１２】
（第１実施形態）
図１は、第１実施形態における電子機器１０の構成を示す図である。図１（Ａ）は、電子機器１０の内部構成の概要を示す図、図１（Ｂ）は電子機器１０のＦＰＣ１４０の近傍の断面図である。図１（Ａ）に示されるように、本実施形態の電子機器１０は、筐体１１０と、ディスプレイパネル１２０と、素子１３０と、ＦＰＣ１４０と、シート部材１５０と、を有する。以下において、素子１３０は、ディスプレイパネル１２０の表示処理等を制御する表示デバイス用ドライバーとして説明する。
【００１３】
筐体１１０は、フロントケース１１２とリアケース１１４とが嵌合されて構成される。フロントケース１１２は、特に限定されないが、例えば、樹脂と板金とにより一体成形されている。フロントケース１１２とリアケース１１４との間には、電子機器１０のメイン基板（不図示）が配置される。図２は、ＦＰＣ１４０とメイン基板とを接続する方法について説明するための図である。メイン基板とＦＰＣ１４０は、例えば、図２に示すように、フロントケース１１２に設けられる孔部１１２４を介して接続される。そして、メイン基板は、ＦＰＣ１４０に搭載されている素子１３０に命令を送信し、様々な処理を実行する。
【００１４】
ディスプレイパネル１２０は、筐体１１０（フロントケース１１２）の一面に取り付けられており、素子１３０の制御に対応する表示内容を表示する。ディスプレイパネル１２０は、例えば、タッチパネル等としてもよい。この場合、ディスプレイパネル１２０をタッチすることにより生成される信号が素子１３０によって検知され、当該検知された信号がメイン基板に入力される。そして、その入力信号に対しメイン基板で生成された応答命令に従って、素子１３０の制御に対応する表示内容がディスプレイパネル１２０に表示される。
【００１５】
素子１３０は、フロントケース１１２のうちディスプレイパネル１２０と対向する面とディスプレイパネル１２０との間に配置される。本実施形態において、素子１３０は、ディスプレイパネル１２０の表示処理を制御する表示デバイス用ドライバーであり、ＦＰＣ１４０に搭載される。また、素子１３０は、筐体１１０内に配置されるメイン基板からの命令に従って、ディスプレイパネル１２０に表示用のデータを表示させる等、ディスプレイパネル１２０の表示内容を制御する。
【００１６】
ＦＰＣ１４０は、素子１３０を搭載しており、フロントケース１１２のうちディスプレイパネル１２０と対向する面とディスプレイパネル１２０との間に配置される。本実施形態において、ＦＰＣ１４０は、表示デバイス用ドライバーとして機能する素子１３０を搭載しており、ディスプレイパネル１２０の近傍に配置される。また、ＦＰＣ１４０は、孔部１１２４を介してメイン基板と接続されており、当該ＦＰＣ１４０に搭載されている素子１３０とメイン基板との間の入出力信号を伝達する。
【００１７】
ここで、本実施形態におけるＦＰＣ１４０の配置場所について図３を用いて説明する。図３は、第１実施形態におけるＦＰＣ１４０の配置場所を説明するための図である。図３（Ａ）はＦＰＣ１４０の配置場所の概要を示す斜視図、図３（Ｂ）は図３（Ａ）のＡ−Ａ'線分における断面図、図３（Ｃ）は、図３（Ａ）の略式上面図である。本実施形態のフロントケース１１２は、図３（Ｂ）に示されるように、ディスプレイパネル１２０側とは逆側にくぼんでいるスペース１１２２を有している。なお、このスペース１１２２は、例えば絞り加工等によって、フロントケース１１２と一体に形成される。また、ＦＰＣ１４０は、図３（Ｃ）に示されるように、平面視において、スペース１１２２の各辺のうちの少なくとも一辺と接するように配置されている。
【００１８】
シート部材１５０は、フロントケース１１２のうちディスプレイパネル１２０と対向する面とディスプレイパネル１２０との間に配置される。本実施形態では、シート部材１５０は、ＦＰＣ１４０とフロントケース１１２のうちディスプレイパネル１２０と対抗する面との間に配置される。シート部材１５０には、図１（Ａ）に示されるように、開口１５２が設けられている。この開口１５２と、ＦＰＣ１４０のうち素子１３０が搭載されている面とは逆側の面と、フロントケース１１２のうちディスプレイパネル１２０と対向する面とによって囲まれる領域には接着剤が配置され、図１（Ｂ）に示されるような接着層１６０が形成される。このようにして、接着層１６０は、ＦＰＣ１４０のうち素子１３０が搭載されている面とは逆側の面をフロントケース１１２のうちディスプレイパネル１２０と対向する面に固定する。
【００１９】
なお、本実施形態において、シート部材１５０は、電子機器１０で実行される処理によって生じる熱を放出するグラファイトシートである。ただし、シート部材１５０は、これに限定されず、電子機器１０に用いられ、フロントケース１１２のうちディスプレイパネル１２０と対向する面とディスプレイパネル１２０との間に配置される部材で、フロントケース１１２とＦＰＣ１４０とを接着できるように開口１５２が設けられるものであれば、それを用いてもよい。
【００２０】
本実施形態では、ＦＰＣ１４０とフロントケース１１２は、以下のようにして固定される。まず、フロントケース１１２のスペース１１２２にシート部材１５０が貼り付けられる。そして、シート部材１５０の開口１５２と、フロントケース１１２のうちディスプレイパネル１２０と対向する面とによって囲まれた部分に接着剤が配置される。そして、ＦＰＣ１４０のうち素子１３０が搭載されている面とは逆の面によって、接着剤が配置された箇所に蓋をすることにより、ＦＰＣ１４０とフロントケース１１２とが、シート部材１５０を介して固定される。
【００２１】
以上、本実施形態によれば、素子１３０が搭載されたＦＰＣ１４０が、接着層１６０を介して筐体１１０（フロントケース１１２）に固定される。これにより、素子１３０が搭載されたＦＰＣ１４０に強い圧力をかけなくとも、ＦＰＣ１４０を筐体１１０に固定することができ、ＦＰＣ１４０に搭載される素子１３０の破損確率を低減できる。また、素子１３０が搭載されているＦＰＣ１４０自体が筐体１１０に固定されるため、素子１３０の剛性を高めることができる。さらに、本実施形態によれば、接着層１６０が、シート部材１５０の開口１５２と、ＦＰＣ１４０のうち素子１３０が搭載されている面とは逆側の面と、フロントケース１１２のうちディスプレイパネル１２０と対向する面とによって囲まれる領域に形成される。これにより、接着層１６０に配置される接着剤が広がりにくく、その他の領域に位置する別の部材に付着することを防止できる。
【００２２】
また、本実施形態では、開口１５２が、グラファイトシートであるシート部材１５０に形成されている。これにより、素子１３０とシート部材１５０とが近接するように配置され、ディスプレイパネル１２０を制御することによって素子１３０から発生する熱を効率よく排出できる。
【００２３】
上述の実施形態では、開口１５２と、ＦＰＣ１４０と、フロントケース１１２のうちディスプレイパネル１２０と対向する面とによって囲まれる領域に接着層１６０が形成される場合を例として説明したが、接着層１６０の形成方法はこれに限定されない。例えば、接着層１６０は、図４に示されるように形成されてもよい。
【００２４】
図４は、第１実施形態の変形例における電子機器１０の構成を説明するための図である。図４に示されるように、本変形例のフロントケース１１２は、フロントケース１１２のうちの板金部分又は剛性のある樹脂成形部分に凹部１１２６を有する。本変形例では、この凹部１１２６とＦＰＣ１４０のうち素子１３０が搭載されている面とは逆側の面とによって囲まれる領域に接着剤が配置され、接着層１６０が形成される。
【００２５】
これにより、素子１３０が搭載されたＦＰＣ１４０とフロントケース１１２とが、接着層１６０を介して固定され、上述した効果を得ることができる。
【００２６】
また、第１実施形態及び第１実施形態の変形例では、ＦＰＣ１４０を筐体１１０（フロントケース１１２）に固定する構成としたが、これに限られない。ＦＰＣ１４０は、ディスプレイパネル１２０に固定されてもよい。この場合、ディスプレイパネル１２０とＦＰＣ１４０との間に配置される他のシート部材１５０に開口１５２を設けて、当該開口１５２と、ディスプレイパネル１２０と、ＦＰＣ１４０のうち素子１３０が搭載されている面とは逆側の面とによって囲まれる領域に接着層１６０が形成される。
【００２７】
これにより、素子１３０が搭載されたＦＰＣ１４０とディスプレイパネル１２０とが、接着層１６０を介して固定されるため、筐体１１０に固定した場合と同様の効果を得ることができる。
【００２８】
以上、図面を参照して本発明の実施形態について述べたが、これらは本発明の例示であり、上記以外の様々な構成を採用することもできる。
【００２９】
例えば、シート部材１５０の開口１５２やフロントケース１１２の凹部１１２６の位置は、図示された位置に限定されず、本発明の主旨に反しない範囲で変更することができる。
【００３０】
また、例えば、上述した実施形態等では、素子１３０がディスプレイパネル１２０の表示処理等を制御する表示デバイス用ドライバーである場合を例として説明したが、素子１３０はこれに限定されない。例えば、素子１３０は、ＩＣ（Integrated Circuit）チップなどのＦＰＣ１４０に搭載されるその他の電子部品であってもよい。この場合、当該素子１３０を搭載するＦＰＣ１４０と、筐体１１０との間に位置する他の部材に開口１５２を設けてＦＰＣ１４０を固定することにより、上述の実施形態と同様の効果を得ることができる。
【符号の説明】
【００３１】
１０      電子機器
１１０    筐体
１１２    フロントケース
１１２２  スペース
１１２４  孔部
１１２６  凹部
１１４    リアケース
１２０    ディスプレイパネル
１３０    素子
１４０    ＦＰＣ
１５０    シート部材
１５２    開口
１６０    接着層
【図１】
2014194491.tif 000003
【図２】
2014194491.tif 000004
【図３】
2014194491.tif 000005
【図４】
2014194491.tif 000006